【手続補正書】
【提出日】平成23年9月14日(2011.9.14)
【手続補正１】
【補正対象書類名】特許請求の範囲
【補正対象項目名】全文
【補正方法】変更
【補正の内容】
【特許請求の範囲】
【請求項１】
複数のネットワーク機器の管理を行う情報処理装置であって、
ネットワークに接続されるシンクライアント端末と、前記シンクライアント端末に関する設定情報を管理するネットワーク機器と、が対応付けられた管理情報を記憶する記憶手段と、
ネットワークに接続される第１のシンクライアント端末、及び、前記第１のシンクライアント端末と入替を行う第２のシンクライアント端末の指定を受け付ける受付手段と、
前記受付手段で受け付けた前記第１のシンクライアント端末に関する設定情報を有する複数のネットワーク機器を特定する特定手段と、
前記特定手段で特定された前記複数のネットワーク機器それぞれに対して、当該ネットワーク機器が管理する前記第１のシンクライアント端末に関する設定情報を前記第２のシンクライアント端末に関する設定情報に変更するよう変更要求を行う要求手段と、
を備えることを特徴とする情報処理装置。
【請求項２】
前記前記ネットワーク機器には、前記シンクライアント端末から送信されたデータを他の装置に送信する通信制御を行う第１のネットワーク機器が含まれ、
前記第１のネットワーク機器は、
前記シンクライアント端末に関する設定情報を記憶する第２の記憶手段と、
前記要求手段による設定情報の変更要求に応じて、前記第２の記憶手段に記憶されている前記第１のシンクライアント端末に関する設定情報を、前記第２のシンクライアント端末に関する設定情報に変更する第１の変更手段と、
前記第２の記憶手段に設定情報が記憶されたシンクライアント端末から受け付けた前記データを他の装置に送信する第１の送信手段と、
を備えることを特徴とする請求項１に記載の情報処理装置。
【請求項３】
前記ネットワーク装置にはさらに、前記シンクライアント端末の起動設定を行うための情報を格納する第２のネットワーク機器が含まれ、
前記第２のネットワーク機器は、
前記シンクライアント端末に関する設定情報を記憶する第３の記憶手段と、
前記要求手段による設定情報の変更要求に応じて、前記第３の記憶手段に記憶されている前記第１のシンクライアント端末に関する設定情報を、前記第２のシンクライアント端末に関する設定情報に変更する第２の変更手段と、
前記第３の記憶手段に設定情報が記憶されたシンクライアント端末に対して、当該シンクライアント端末の起動に必要な情報を送信する第２の送信手段と、
を備えることを特徴とする請求項１または２に記載の情報処理装置。
【請求項４】
前記第２の送信手段で送信される前記シンクライアント端末の起動に必要な情報には、ＩＰアドレス及びインストールイメージのうち少なくとも１つが含まれること
を特徴とする請求項３に記載の情報処理装置。
【請求項５】
前記要求手段による変更要求に応じて前記ネットワーク機器が第１のシンクライアント端末の設定情報を第２の設定情報に変更した後に、前記第１の記憶手段に記憶されている第１のシンクライアント端末に対応付けられた前記ネットワーク機器を、前記第２のシンクライアント端末に対応付けるよう前記管理情報を変更する第３の変更手段をさらに備えることを特徴とする請求項１乃至４のいずれか１項に記載の情報処理装置。
【請求項６】
シンクライアント端末の入替指示を入力させるための画面情報を生成する生成手段をさらに備え、
前記受付手段は、前記画面情報に基づき表示される画面を介して、前記第１のシンクライアント端末、及び、第２のシンクライアント端末の指定を受け付けること
を特徴とする請求項１乃至５のいずれか１項に記載の情報処理装置。
【請求項７】
ネットワークに接続されるシンクライアント端末と、前記シンクライアント端末に関する設定情報を管理するネットワーク機器と、が対応付けられた管理情報を記憶する記憶手段を備え、複数の前記ネットワーク機器の管理を行う情報処理装置によって行われる情報処理方法であって、
ネットワークに接続される第１のシンクライアント端末、及び、前記第１のシンクライアント端末と入替を行う第２のシンクライアント端末の指定を受け付ける受付工程と、
前記受付工程で受け付けた前記第１のシンクライアント端末に関する設定情報を有する複数のネットワーク機器を特定する特定工程と、
前記特定工程で特定された前記複数のネットワーク機器それぞれに対して、当該ネットワーク機器が管理する前記第１のシンクライアント端末に関する設定情報を前記第２のシンクライアント端末に関する設定情報に変更するよう変更要求を行う要求工程と、
を備えることを特徴とする情報処理方法。
【請求項８】
ネットワークに接続されるシンクライアント端末と、前記シンクライアント端末に関する設定情報を管理するネットワーク機器と、が対応付けられた管理情報を記憶する記憶手段を備え、複数のネットワーク機器の管理を行う情報処理装置を、
ネットワークに接続される第１のシンクライアント端末、及び前記第１のシンクライアント端末と入替を行う第２のシンクライアント端末の指定を受け付ける受付手段と、
前記受付手段で受け付けた前記第１のシンクライアント端末に関する設定情報を有する複数のネットワーク機器を特定する特定手段と、
前記特定手段で特定された前記複数のネットワーク機器それぞれに対して、当該ネットワーク機器が管理する前記第１のシンクライアント端末に関する設定情報を前記第２のシンクライアント端末に関する設定情報に変更するよう変更要求を行う要求手段として機能させることを特徴とするコンピュータプログラム。
【手続補正２】
【補正対象書類名】明細書
【補正対象項目名】発明の名称
【補正方法】変更
【補正の内容】
【発明の名称】情報処理装置、情報処理方法、及びコンピュータプログラム
【手続補正３】
【補正対象書類名】明細書
【補正対象項目名】００１５
【補正方法】変更
【補正の内容】
【００１５】
上記の課題を解決するために、本願発明の情報処理装置は以下の構成を備えることを特徴とする。すなわち、請求項１に記載の発明は、複数のネットワーク機器の管理を行う情報処理装置であって、ネットワークに接続されるシンクライアント端末と、前記シンクライアント端末に関する設定情報を管理するネットワーク機器と、が対応付けられた管理情報を記憶する記憶手段と、ネットワークに接続される第１のシンクライアント端末、及び、前記第１のシンクライアント端末と入替を行う第２のシンクライアント端末の指定を受け付ける受付手段と、前記受付手段で受け付けた前記第１のシンクライアント端末に関する設定情報を有する複数のネットワーク機器を特定する特定手段と、前記特定手段で特定された前記複数のネットワーク機器それぞれに対して、当該ネットワーク機器が管理する前記第１のシンクライアント端末に関する設定情報を前記第２のシンクライアント端末に関する設定情報に変更するよう変更要求を行う要求手段と、を備えることを特徴とする。
【手続補正４】
【補正対象書類名】明細書
【補正対象項目名】００１６
【補正方法】変更
【補正の内容】
【００１６】
この構成によれば、シンクライアント端末の入れ替えに伴う各種ネットワーク設定の変更を容易に行うことが可能となる。
【手続補正５】
【補正対象書類名】明細書
【補正対象項目名】００１７
【補正方法】変更
【補正の内容】
【００１７】
また、請求項２に記載の発明は、請求項１に記載の情報処理装置であって、前記前記ネットワーク機器には、前記シンクライアント端末から送信されたデータを他の装置に送信する通信制御を行う第１のネットワーク機器が含まれ、前記第１のネットワーク機器は、前記シンクライアント端末に関する設定情報を記憶する第２の記憶手段と、前記要求手段による設定情報の変更要求に応じて、前記第２の記憶手段に記憶されている前記第１のシンクライアント端末に関する設定情報を、前記第２のシンクライアント端末に関する設定情報に変更する第１の変更手段と、前記第２の記憶手段に設定情報が記憶されたシンクライアント端末から受け付けた前記データを他の装置に送信する第１の送信手段と、を備えることを特徴とする。
【手続補正６】
【補正対象書類名】明細書
【補正対象項目名】００１８
【補正方法】変更
【補正の内容】
【００１８】
また、請求項３に記載の発明は、請求項１または２に記載の情報処理装置であって、前記ネットワーク装置にはさらに、前記シンクライアント端末の起動設定を行うための情報を格納する第２のネットワーク機器が含まれ、前記第２のネットワーク機器は、前記シンクライアント端末に関する設定情報を記憶する第３の記憶手段と、前記要求手段による設定情報の変更要求に応じて、前記第３の記憶手段に記憶されている前記第１のシンクライアント端末に関する設定情報を、前記第２のシンクライアント端末に関する設定情報に変更する第２の変更手段と、前記第３の記憶手段に設定情報が記憶されたシンクライアント端末に対して、当該シンクライアント端末の起動に必要な情報を送信する第２の送信手段と、を備えることを特徴とする。
【手続補正７】
【補正対象書類名】明細書
【補正対象項目名】００１９
【補正方法】変更
【補正の内容】
【００１９】
また、請求項４に記載の発明は、請求項３に記載の情報処理装置であって、前記第２の送信手段で送信される前記シンクライアント端末の起動に必要な情報には、ＩＰアドレス及びインストールイメージのうち少なくとも１つが含まれることを特徴とする。
【手続補正８】
【補正対象書類名】明細書
【補正対象項目名】００２０
【補正方法】変更
【補正の内容】
【００２０】
また、請求項５に記載の発明は、請求項１乃至４のいずれかに記載の情報処理装置であって、前記要求手段による変更要求に応じて前記ネットワーク機器が第１のシンクライアント端末の設定情報を第２の設定情報に変更した後に、前記第１の記憶手段に記憶されている第１のシンクライアント端末に対応付けられた前記ネットワーク機器を、前記第２のシンクライアント端末に対応付けるよう前記管理情報を変更する第３の変更手段をさらに備えることを特徴とする。
【手続補正９】
【補正対象書類名】明細書
【補正対象項目名】００２１
【補正方法】変更
【補正の内容】
【００２１】
また、請求項６に記載の発明は、請求項１乃至５のいずれかに記載の情報処理装置であって、シンクライアント端末の入替指示を入力させるための画面情報を生成する生成手段をさらに備え、前記受付手段は、前記画面情報に基づき表示される画面を介して、前記第１のシンクライアント端末、及び、第２のシンクライアント端末の指定を受け付けることを特徴とする。
【手続補正１０】
【補正対象書類名】明細書
【補正対象項目名】００２２
【補正方法】変更
【補正の内容】
【００２２】
また、請求項７に記載の発明は、ネットワークに接続されるシンクライアント端末と、前記シンクライアント端末に関する設定情報を管理するネットワーク機器と、が対応付けられた管理情報を記憶する記憶手段を備え、複数の前記ネットワーク機器の管理を行う情報処理装置によって行われる情報処理方法であって、ネットワークに接続される第１のシンクライアント端末、及び、前記第１のシンクライアント端末と入替を行う第２のシンクライアント端末の指定を受け付ける受付工程と、前記受付工程で受け付けた前記第１のシンクライアント端末に関する設定情報を有する複数のネットワーク機器を特定する特定工程と、前記特定工程で特定された前記複数のネットワーク機器それぞれに対して、当該ネットワーク機器が管理する前記第１のシンクライアント端末に関する設定情報を前記第２のシンクライアント端末に関する設定情報に変更するよう変更要求を行う要求工程と、を備えることを特徴とする。
また、請求項８に記載の発明は、ネットワークに接続されるシンクライアント端末と、前記シンクライアント端末に関する設定情報を管理するネットワーク機器と、が対応付けられた管理情報を記憶する記憶手段を備え、複数のネットワーク機器の管理を行う情報処理装置を、ネットワークに接続される第１のシンクライアント端末、及び前記第１のシンクライアント端末と入替を行う第２のシンクライアント端末の指定を受け付ける受付手段と、前記受付手段で受け付けた前記第１のシンクライアント端末に関する設定情報を有する複数のネットワーク機器を特定する特定手段と、前記特定手段で特定された前記複数のネットワーク機器それぞれに対して、当該ネットワーク機器が管理する前記第１のシンクライアント端末に関する設定情報を前記第２のシンクライアント端末に関する設定情報に変更するよう変更要求を行う要求手段として機能させることを特徴とする。